(57)【要約】【課題】  面格子体を室外から簡単に取り外しできない面格子とする。【解決手段】  面格子体１を取付けブラケット２で建物躯体５に取付ける面格子であって、前記取付けブラケット２は面格子体取付部２ａと、この面格子体取付体２ａの上下左右の少なくとも３方を覆う覆い部２ｂを備え、その面格子体取付部２ａを面格子体１の室内側面にビス３で固着した面格子。  この面格子であれば、ビス３の上下・左右の少なくとも３方が覆い部２ｂで囲繞されるので、そのビス３を室外から弛めるのに時間がかかり、面格子体１を室外から簡単に取り外しできない。【選択図】  図４
2005097899.tif 000002
【特許請求の範囲】
【請求項１】
横桟と格子を備えた面格子体と、この面格子体を建物側に取付ける取付けブラケットを備え、
この取付けブラケットは、面格子体取付部と、この面格子体取付部の上下左右の少なくとも３方を覆う覆い部と、取付部を有し、
前記面格子体取付部が面格子体の室内側面にビスで固着され、前記取付部が建物側に固着具で固着されることを特徴とする面格子。
【請求項２】
取付けブラケットの取付部が建物躯体に固着され、面格子体取付部を固着したビスが建物躯体と対向し、
その取付けブラケットの覆い部が建物躯体の室外側面まで連続している請求項１記載の面格子。
【請求項３】
横桟は、桟材とアタッチメントを連結して両者の間に空間部を有する形状で、
格子が桟材の切欠部から横桟の空間部に挿入されて面格子体を形成し、面格子体取付部がアタッチメントの室内側面にビスで固着され、
取付けブラケットは、面格子体取付部よりも室外側に突出した横桟取付部を有し、その横桟取付部が桟材の端面とアタッチメントの端面に長手方向に向かうビスで固着されて横桟の端面を閉塞する請求項１又は２記載の面格子。
【請求項４】
桟材とアタッチメントは室内外方向に外れないように係合して連結され、そのアタッチメントの室内側面から格子にビスを螺合した請求項３記載の面格子。
【請求項５】
アタッチメントの室内側面における面格子体取付部をビスで固着する部分が、格子をビスで固着する部分よりも上下方向内側で、かつ室内外方向室内側に位置している請求項４記載の面格子。
【請求項６】
桟材とアタッチメントはアルミ押出形材で、その桟材は空間部とは区画された中空部を有する形状で、
この桟材の中空部にスチール製の補強材が挿入してある請求項３記載の面格子。
【発明の詳細な説明】
【技術分野】
【０００１】
本発明は、窓部の窓枠や建物躯体に取付けられて窓部の室外側を覆う面格子に関する。
【背景技術】
【０００２】
特許文献１に記載された面格子が知られている。
この面格子は、縦格子と横桟を連結した面格子体と、取付けブラケットを備え、この取付けブラケットを縦格子の室内側面にビスで固着し、その取付けブラケットを窓部の窓枠における縦枠にビスで固着してある。
【０００３】
【特許文献１】実公昭６２−４１４３号公報
【発明の開示】
【発明が解決しようとする課題】
【０００４】
面格子は窓部から人が室内側に故意に侵入するのを防止することを目的の１つとしているから、その面格子体を室外から簡単に取り外しできないようにすることが好ましい。
このために、前述した従来の面格子においては、縦格子の室内側面に取付けブラケットをビスで固着することで、そのビスを室外から弛め操作しづらくしている。
しかし、縦格子の室内側面に取付けブラケットをビスで固着しただけでは、室外の人が縦格子の室内側面をのぞき見しながら、その縦格子よりも室内側に手を延ばしてビスを比較的容易に弛めることができるので、取付けブラケットから縦格子を比較的短時間に分離でき、面格子体を室外から比較的簡単に取り外しでき、防犯上好ましくない。
【０００５】
本発明は、前述の課題に鑑みなされたものであって、その目的は、面格子体と取付けブラケットを固着しているビスを室外から弛め操作しづらく、取付けブラケットから面格子体を室外から分離するのに時間がかかり、面格子体を室外から簡単に取り外しできないようにした面格子を提供することである。
【課題を解決するための手段】
【０００６】
第１の発明は、横桟と格子を備えた面格子体と、この面格子体を建物側に取付ける取付けブラケットを備え、
この取付けブラケットは、面格子体取付部と、この面格子体取付部の上下左右の少なくとも３方を覆う覆い部と、取付部を有し、
前記面格子体取付部が面格子体の室内側面にビスで固着され、前記取付部が建物側に固着具で固着されることを特徴とする面格子である。
【０００７】
第２の発明は、第１の発明において取付けブラケットの取付部が建物躯体に固着され、面格子体取付部を固着したビスが建物躯体と対向し、
その取付けブラケットの覆い部が建物躯体の室外側面まで連続している面格子である。
【０００８】
第３の発明は、第１又は第２の発明において横桟は、桟材とアタッチメントを連結して両者の間に空間部を有する形状で、
格子が桟材の切欠部から横桟の空間部に挿入されて面格子体を形成し、面格子体取付部がアタッチメントの室内側面にビスで固着され、
取付けブラケットは、面格子体取付部よりも室外側に突出した横桟取付部を有し、その横桟取付部が桟材の端面とアタッチメントの端面に長手方向に向かうビスで固着されて横桟の端面を閉塞する面格子である。
【０００９】
第４の発明は、第３の発明において桟材とアタッチメントは室内外方向に外れないように係合してを連結され、そのアタッチメントの室内側面から格子にビスを螺合した面格子である。
【００１０】
第５の発明は、第４の発明においてアタッチメントの室内側面における面格子体取付部をビスで固着する部分が、格子をビスで固着する部分よりも上下方向内側で、かつ室内外方向室内側に位置している面格子である。
【００１１】
第６の発明は、第３の発明において桟材とアタッチメントはアルミ押出形材で、その桟材は空間部とは区画された中空部を有する形状で、
この桟材の中空部にスチール製の補強材が挿入してある面格子である。
【発明の効果】
【００１２】
請求項１に係る発明によれば、室外の人が面格子体の室内側面をのぞき見しながら、面格子体よりも室内側に手を延ばして工具を用いてビスを弛めようとした場合に、そのビスの上下・左右の少なくとも３方が覆い部で囲繞されているので、ビスを目視しづらいし、手をビスの近くまで延ばすのがやりづらい。
よって、面格子体と取付けブラケットを固着しているビスを室外から弛め操作しづらく、取付けブラケットから面格子体を室外から分離するのに時間がかかるので、面格子体を室外から簡単に取り外しできない。
【００１３】
請求項２に係る発明によれば、取付けブラケットの取付部と面格子体を固着しているビスを室外から弛めるには、その取付部と建物躯体の室外側面との間に手を延ばして工具で弛めることになるが、取付けブラケットの覆い部が建物躯体の室外側面まで連続しているので、前述のようにしてビスを弛めるのが大変面倒で、弛め操作が大変やりづらい。
よって、面格子体を室外から簡単に取り外しできない。
【００１４】
請求項３に係る発明によれば、桟材の切欠部から空間部に格子を挿入する作業と、桟材とアタッチメントを連結する作業で面格子体を組立てでき、面格子体の組立てが容易である。
しかも、取付けブラケットの横桟取付部が桟材の端面とアタッチメントの端面にビスで固着してあるので、桟材とアタッチメントが取付けブラケットの横桟取付部で強固に連結される。
【００１５】
請求項４に係る発明によれば、アタッチメントと格子がビスで固着してあるから、格子を引き抜くことができない。
【００１６】
請求項５に係る発明によれば、アタッチメントと格子を固着するビスが、面格子体取付部をビスを固着する部分によって室内側から見えづらく、見栄えが良い。
【００１７】
請求項６に係る発明によれば、室外から故意に横桟を切断工具で切断しようとした場合に、補強材によって切断しづらくなるので、防犯上好ましい。
また、横桟の中空部は空間部と区画されていると共に、取付けブラケットの横桟取付部で閉塞され、雨水等が浸入しないので、スチールの補強材が雨水等によって錆びることを防止できる。
【発明を実施するための最良の形態】
【００１８】
図１と図２と図３に示すように、面格子体１と取付けブラケット２で面格子を構成している。
前記面格子体１は横桟１ａと格子、例えば縦格子１ｂを備えている。この実施の形態では上下の横桟１ａと複数の縦格子１ｂを備えている。前述の格子としては、縦格子に限ることはなく、井桁格子、ラチス格子などでも良い。
前記取付けブラケット２は面格子体取付部２ａと、この面格子体取付部２ａの上下左右の少なくとも３方、好ましくは上と下と左右一方を覆う覆い部２ｂと、取付部２ｃを備え、その面格子体取付部２ａが面格子体１の室内側面にビス３で固着され、このビス３の上下左右の少なくとも３方が覆い部２ｂで囲繞される。
前記取付部２ｃが建物側に固着具４で固着される。
【００１９】
このようであるから、室外の人が面格子体１の室内側面をのぞき見しながら、面格子体１よりも室内側に手を延ばして工具を用いてビス３を弛めようとした場合に、そのビス３の上下・左右の少なくとも３方が覆い部２ｂで囲繞されているので、ビス３を目視しづらいし、手をビス３の近くまで延ばすのがやりづらい。
よって、面格子体１と取付けブラケット２を固着しているビス３を室外から弛め操作しづらく、取付けブラケット２から面格子体１を室外から分離するのに時間がかかるので、面格子体を室外から簡単に取り外しできない。
【００２０】
この実施の形態では、上下の横桟１ａの左右端部の室内側面に４つの取付けブラケット２の面格子体取付部２ａがビス３でそれぞれ固着してある。
この４つの取付けブラケット２の取付部２ｃが建物躯体５に固着具４でそれぞれ固着され、ビス３が建物躯体５と対向し、前記覆い部２ｂは建物躯体５の室外側面まで連続している。つまり、建物躯体５が前述の建物側である。
前記建物躯体５の開口部６に窓部７の枠体７ａが取付けてあり、この窓部７の室外側を面格子体１で覆っている。
【００２１】
このようであるから、室外からビス３を弛めるのには、建物躯体５の室外側面と面格子体１（横桟１ａ）の室内側面との間に手を入れて工具を用いて弛めることになるが、覆い部２ｂが建物躯体５の室外側面まで連続しているために上下・左右の３方から手を入れることができず、そのビス３を弛めるのに時間がかかる。
なお、覆い部２ｂが建物躯体５の室外側面まで連続するとは、覆い部２ｂが建物躯体５の室外側面に接触することが好ましいが、その建物躯体５の室外側面との間に若干の隙間があっても良い。また、取付部２ｃを固着した後にモルタルなどを塗布して外装を仕上げる場合には、覆い部２ｂの室内側部分がモルタルなどで埋められても良い。
【００２２】
前記覆い部２ｂは上下・左右の４方を覆うようにしても良いし、取付部２ｃは窓部７の窓枠７ａに固着しても良い。この場合には窓枠７ａが建物側である。
また、取付けブラケット２の面格子体取付部２ａを縦格子１ｂの室内側面にビス３で固着しても良い。
【００２３】
次に各部材の具体形状の一例を説明する。
前記横桟１ａは図４と図５に示すように、桟材１０とアタッチメント２０を備え、この桟材１０の室内側部にアタッチメント２０が取付けられ、桟材１０とアタッチメント２０との間に縦格子１ｂが挿入される空間部１ｃを形成している。
例えば、桟材１０は、縦板１１と、その上端部、下端部とそれぞれ連続した上横板１２、下横板１３と、この上横板１２と下横板１３間に設けた中間縦板１４で、中空部１５と室内側に開口したコ字状部１６を有する断面形状で、上横板１２の開口端部に上係合部１２ａ、下横板１３の開口端部に下係合部１３ａが一体的に設けてある。
そして、縦板１１と上下横板１２，１３のコーナー部にビスホール１７が長手方向に連続して有する。
【００２４】
前記アタッチメント２０は、上横板２１と、その室外側部と連続した室外側縦板２２と、上横板２１の室内側部と連続した室内側縦板２３と、この室内側縦板２３の下端部と室外側縦板２２の上下中間に亘って設けた下横板２４によって、上部に中空部２５を有する断面形状で、その室外側縦板２２の上下部に上係合部２２ａ、下係合部２２ｂを有すると共に、上横板２１の下面と室外側縦板２２の下部にビスホール２６がそれぞれ長手方向に連続して有する。
【００２５】
前記桟材１０の上係合部１２ａとアタッチメント２０の上係合部２２ａを係合すると共に、桟材１０の下係合部１３ａとアタッチメント２０の下係合部２２ｂを係合し、桟材１０とアタッチメント２０を面外方向（室内外側方向）に離れないように連結して取付け、桟材１０のコ字状部１６とアタッチメント２０の室外側縦板２２で空間部１ｃを形成する。
例えば、桟材１０とアタッチメント２０を重ね合わせて幅方向に若干移動して各係合部相互を係合して連結する。
【００２６】
前記縦格子１ｂは、前述の空間部１ｃに挿入可能な矩形断面中空形状である。
前記横桟１０の上横板１２に、この縦格子１ｂの外周面形状と同一形状の切欠部１８を形成する。この切欠部１８は上係合部１２ａまで連続して室内側に開口したほぼコ字形状である。
【００２７】
そして、横桟１ａと縦格子１ｂは次のようにして取付けられる。
前記桟材１０の各切欠部１８からコ字状部１６に縦格子１ｂの長手方向端部をそれぞれ嵌め込み、その後に桟材１０にアタッチメント２０を前述のようにして取付ける。この時、桟材１０を切欠部１８が上向きとなるように置くことが好ましい。
この後に、アタッチメント２０と縦格子１ｂをビス２７で固着する。例えば、アタッチメント２０の室内側縦板２２の下部寄り（つまり、中空部２５を形成しない部分）からビス２７を縦格子１ｂの室内側板２８に螺合して固着する。
【００２８】
このように、横桟１ａと縦格子１ｂを取付けることで、容易に多数の縦格子１ｂを横桟１ａに取付けできる。
また、縦格子１ｂを長手方向に引張って横桟１ａから引抜こうとしても、アタッチメント２０と縦格子１ｂがビス２７で固着しているので、抜けることがない。つまり、ビス２７は桟材１０とアタッチメント２０の固定と縦格子１ｂの抜け防止の役割を果たす。
また、桟材１０の下部を押してアタッチメント２０から外そうとしても、アタッチメント２０にビス止めされた縦格子１ｂと桟材１０の突起１４ａが干渉するため、外れない。
【００２９】
また、桟材１０の中空部１５には補強材１９が挿入してあり、この補強材１９によって横桟１ａの切断に対する補強をしている。つまり、桟材１０、アタッチメント２０はアルミ押出形材で、切断工具によって容易に切断されるから防犯上好ましくないので、スチール製の補強材１９を中空部１５に挿入して切断工具により切断しづらくしている。
この補強材１９は中空部１５に挿入したままでも良いが、ビス止めして動かないようにすることが好ましい。
また、中空部１５が縦格子１ｂを挿入する空間部１ｃと区画されているので、この補強材１９と縦格子１ｂが干渉することがなく、補強材１９のために縦格子１ｂの取付けがやりづらくなることがない。
【００３０】
前述の説明は下の横桟１ａについてであるが、上の横桟１ａは、図２に示すように前述した下の横桟１ａを上下反転したものである。
このように、縦格子１ｂの上部、下部を上の横桟１ａ、下の横桟１ａの空間部１ｃにそれぞれ挿入してビス２７で固定することで、ねじりや引張りに対して破壊されにくい。
【００３１】
前記取付けブラケット２は、縦片３０と、この縦片３０の上縁部、下縁部と連続した上横片３１、下横片３２と、縦片３０の室内側縁部と連続した横向き片３３と、前記上横片３１の室外側縁部と連続した下向き片３４を備え、この下向き片３４が前述の面格子体取付部２ａで、前記縦片３０、上横片３１、下横片３２がほぼコ字形状となり、前述の覆い部２ｂで、前記横向き片３３が前述の取付部２ｃである。
前記縦片３０の室外側縁部と連続して突出縦片３５が一体に設けてあり、この突出縦片３５は横桟１ａの端面とほぼ同一大きさで、各ビスホール１７，２６と対向した孔３５ａを有し、横桟取付部２ｄを形成している。
前記上横片３１には垂下片３６が設けてあり、前記下横片３２の室外側縁部には突出横片３７が一体的に設けてある。
【００３２】
前記取付けブラケット２の下向き片３４が、前述したアタッチメント２０の室内側縦板２３にビス３で固着される。
これによって、縦片３０、上横片３１、下横片３２でビス３の左右一方、上方、下方を囲繞し、かつ垂下片３６で左右他方の上方寄りを囲繞する。
【００３３】
また、アタッチメント２０の室内側縦板２３は中空部２５を形成し、この室内側縦板２３はアタッチメント２０の室外側縦板２２の中空部２５を形成する部分以外の部分（前述のビス２７で縦格子１ｂと固着している部分）よりも上下方向内側（上方）で、かつ室内外方向室内側である。
つまり、アタッチメント２０の室内側面における面格子体取付部２ａがビス３で固着される部分は、アタッチメント２０と縦格子１ｂをビス２７で固着する部分よりも上下方向内側で、室内外方向室内側である。
よって、前述の縦格子１ｂを固着するビス２７がビス３で固着される部分によって室内側から見えづらく、見栄えが良い。
【００３４】
また、横向き片３３が横桟１ａよりも側方に張り出して建物躯体５の室外側面に接し、固着具４で固着される。
また、突出縦板３５がアタッチメント２０の室内側縦板２３（面格子体の室内側面）よりも室外側に突出し、横桟１ａの端面と対向する。そして、各孔３５ａからビス３８を各ビスホール１７，２６に螺合して突出縦板３５を横桟１ａの端面（桟材１０の端面とアタッチメント２０の端面）に取付ける。
また、突出横片３７がアタッチメント２０の室内側縦板２３よりも室外側に突出し、横桟１ａの下面に接することで、桟材１０とアタッチメント２０の間にバール等の工具を下から差し込むことを防止する。
なお、実際に取付けブラケット２を横桟１ａに取付ける場合には、最初に突出縦片３５を横桟１ａの端面に取付け、その後に下向き片３４をアタッチメント２０の室内側縦板２３にビス３で固着する。
【００３５】
このように、突出縦片３５を横桟１ａの端面にビス３８で取付けることで、その突出縦片３５が横桟１ａの端面に隙間なく接触して取付けられるから、横桟１ａの中空部１５、空間部１ｃの長手方向端部を閉塞し、その中空部１５、空間部１ｃに雨水等が浸入することがない。
よって、中空部１５に挿入した補強材１９が雨水等で錆びることを防止できる。なお、突出縦片３５と横桟１ａの端面との間にシール材、例えばシーラを介在しても良い。
【００３６】
次に、前記下向き片３４をアタッチメント２０の室内側縦板２３にビス３で固着するやり方を具体的に説明する。
アタッチメント２０の中空部２５に裏板４０を挿入し、下向き片３４の透孔３４ａ、アタッチメント２０の室内側縦板２３の透孔２３ａからビス３を裏板４０のビス穴に螺合する。
この場合に、裏板４０が中空部２５内で動く恐れがあれば、その裏板４０をビス４１で固着して動かないようにすることが好ましい。
【図面の簡単な説明】
【００３７】
【図１】面格子の取付け状態の横断面図である。
【図２】面格子の取付け状態の縦断面図である。
【図３】図１のＡ−Ａ断面図である。
【図４】図１のＢ−Ｂ拡大断面図である。
【図５】横桟と取付けブラケットの斜視図である。
【図６】横桟に取付けブラケットを取付けた状態の斜視図である。
【符号の説明】
【００３８】
１…面格子体、１ａ…横桟、１ｂ…縦格子（格子）、１ｃ…空間部、２…取付けブラケット、２ａ…面格子体取付部、２ｂ…覆い部、２ｃ…取付部、２ｄ…横桟取付部、３…ビス、４…固着具、５…建物躯体、７…窓部、７ａ…窓枠、１０…桟材、１５…中空部、１８…切欠部、１９…補強材、２０…アタッチメント、２７…ビス、３０…縦片、３１…上横片、３２…下横片、３３…横向き片（取付部）、３４…下向き片（面格子取付部）、３５…突出縦片（横桟取付部）。
【図１】
2005097899.tif 000003
【図２】
2005097899.tif 000004
【図３】
2005097899.tif 000005
【図４】
2005097899.tif 000006
【図５】
2005097899.tif 000007
【図６】
2005097899.tif 000008